(57)【要約】【課題】ケーブル接続図の作成のために効率的なデータの入力を可能にすると共に、入力したデータに基づいて使用ケーブルの選定やケーブルの手配、機器不具合時の調査など、設計、生産、試験、調査等に役立たせること。【解決手段】描画位置を含む描画情報を保存する手段と、ケーブル接続図作成のためのデータを段階的に入力するデータ入力手段と、入力されたデータと描画情報に基づいて図面情報を作成して表示する出力手段と、表示された図面の編集を可能とすると共に編集後の図面から新たな描画情報を抽出して当該描画情報を保存するする図面編集手段とを備え、盤の端子情報と使用するケーブル情報とを関連付けて記憶して手配すべきケーブルの種類、長さ、数量を自動計算する。【選択図】  図１
2005080321.tif 000002
【特許請求の範囲】
【請求項１】
描画位置を含む描画情報を保存する手段と、ケーブル接続図作成のためのデータを段階的に入力するデータ入力手段と、入力されたデータと描画情報に基づいて図面情報を作成して表示する出力手段と、表示された図面の編集を可能とすると共に編集後の図面から新たな描画情報を抽出して当該描画情報を保存するする図面編集手段と、を備えたことを特徴とするケーブル接続図作成装置。
【請求項２】
前記ケーブル接続図作成装置は、端子台を有する複数の盤の間に布設されるケーブルの接続図を作成する装置であって、前記入力手段は、盤データ、端子台データ、端子データ、各端子間の接続データの順に、逐次前段階で入力したデータを表示させて、次のデータの入力を実行することを特徴とする請求項１記載のケーブル接続図作成装置。
【請求項３】
各端子に関連付けて、接続先の盤、端子台、端子の各識別情報を含む接続情報、および、端子の使用回路情報を含む端子データファイルを備え、前記出力手段は、この端子データファイルの接続情報をもとに図面情報を作成することを特徴とする請求項１または２記載のケーブル接続図作成装置。
【請求項４】
前記端子データファイルは、ケーブルの接続確認フラグを有し、前記出力手段によって画面上に表示された図面情報に対して指示入力された表示画面上の位置から図面上のケーブルを指示することにより、当該ケーブルに関連する端子データファイルの接続確認フラグを設定し、接続確認フラグの設定されたケーブルを識別表示する接続確認表示手段を備えたことを特徴とする請求項１ないし３のいずれか一に記載のケーブル接続図作成装置。
【請求項５】
事故情報を保存する事故情報ファイルを有し、前記端子データファイルは、前記事故情報ファイルに保存されている各事故情報と前記接続確認フラグとを関連付けて記憶し、前記接続確認表示手段は、事故情報ごとに当該事故情報に関連する接続確認フラグの設定されたケーブルを識別表示することを特徴とする請求項４記載のケーブル接続図作成装置。
【請求項６】
前記端子データファイルは、ケーブルの除去フラグを有し、前記出力手段によって画面上に表示された図面情報に対して指示入力された表示画面上の位置から図面上のケーブルを指示することにより、当該ケーブルに関連する端子データファイルの除去フラグを設定し、除去フラグの設定されたケーブルを識別表示する除去ケーブル表示手段を備えたことを特徴とする請求項１ないし３のいずれか一に記載のケーブル接続図作成装置。
【請求項７】
ケーブル情報の更新要求を入力したときに、前記除去フラグの設定されたケーブルの接続情報をリセットする手段を備えたことを特徴とする請求項６記載のケーブル接続図作成装置。
【請求項８】
端子情報と使用ケーブル情報とを関連付けて記憶し、使用ケーブルの量をケーブル種別ごとに出力する手段を備えたことを特徴とする請求項１ないし７のいずれか一に記載のケーブル接続図作成装置。
【請求項９】
端子情報と使用回路情報とを関連付けて記憶し、ケーブル種別を設定するケーブル設定画面において、この使用回路情報を表示すると共に端子情報ごとにケーブル情報を設定するケーブル情報設定手段を備えたことを特徴とする請求項１ないし８のいずれか一に記載のケーブル接続図作成装置。
【請求項１０】
使用回路の組合せまたは使用ケーブルの禁止情報を記憶した使用回路禁止ファイルと、当該ファイルを参照して前記ケーブル情報設定手段で設定した情報が前記禁止情報に該当するか否かを判定するチェック手段と、を備えたことを特徴とする請求項９記載のケーブル接続図作成装置。
【請求項１１】
前記禁止情報と不具合情報とを関連付けて記憶する手段を備え、前記チェック手段は、前記禁止情報に該当する場合は前記不具合情報と共に判定結果を出力することを特徴とする請求項１０記載のケーブル接続図作成装置。
【請求項１２】
前記ケーブル接続図作成装置は、クライアントサーバ型の装置であって、前記データ入力手段は、携帯端末から送られてくる位置情報を入力して、当該位置情報をもとにケーブル布設ルートをパターン化して記憶する手段を備えたことを特徴とするケーブル接続図作成装置。
【請求項１３】
変電所データを入力して保存するステップと、前記変電所データを表示させると共に盤データを入力し、前記変電所データと関連付けて保存するステップと、前記変電所データおよび前記盤データを表示させると共に端子台データを入力し、前記盤データと関連付けて保存するステップと、前記変電所データ、盤データ、および、端子台データを表示させると共に端子データを入力し、前記端子台データと関連付けて保存するステップと、前記保存されている端子データ間の接続情報を記憶するステップと、この接続情報をもとにケーブル布設状況を演算して表示するステップと、を含むことを特徴とするケーブル接続図作成方法。
【請求項１４】
端子情報と使用回路情報とを関連付けて記憶するステップと、使用回路の組合せまたは使用ケーブルの禁止情報を記憶ステップと、ケーブル種別を設定するケーブル設定画面において、前記使用回路情報を表示すると共に端子情報ごとにケーブル情報を設定するステップと、前記設定したケーブル情報が前記禁止情報に該当するか否かを判定するステップと、を含むことを特徴とする請求項１３記載のケーブル接続図作成方法。
【請求項１５】
ケーブル接続図を作成するためのプログラムであって、変電所データを入力して保存する処理と、前記変電所データを表示させると共に盤データを入力し、前記変電所データと関連付けて保存する処理と、前記変電所データおよび前記盤データを表示させると共に端子台データを入力し、前記盤データと関連付けて保存する処理と、前記変電所データ、盤データ、および、端子台データを表示させると共に端子データを入力し、前記端子台データと関連付けて保存する処理と、前記保存されている各データを用いて、ケーブル布設状況を演算して表示する処理と、を備えたことを特徴とするコンピュータ実行可能なプログラム。
【発明の詳細な説明】
【０００１】
【発明の属する技術分野】
本発明は、変電所等における制御ケーブルの布設作業を支援し、また、設計や不具合調査などに供するためのケーブル接続図作成装置、ケーブル接続図作成方法、および、プログラムに関する。
【０００２】
【従来の技術】
従来、変電所などに設置される盤間のケーブルを接続するための図面を作成する装置として、特開平７−３１１７８４号公報の「ケーブル図作成装置」には、ケーブルデータの入力ミスを低減化するため、ケーブルによって互いに接続される盤の夫々において、ケーブルの両端部と両盤の端子台との接続関係を表すケーブルデータを自動積上げ処理してケーブル図を作成する装置が提案されている。
【０００３】
また、特許第２９８４２６２号公報の「地中線支援システム」には、図面の修正・変更をリアルタイムに実施でき、品質のよい図面を作成するため、埋設物の位置情報を現況図に付加することにより、埋設物反映図を作成し、この埋設物反映図に布設ルートを付加することにより、布設ルート図を作成するという技術が提案されている。
【０００４】
さらに、特許第３０５３７８０号公報の「ケーブル接続図描画装置」には、端子台とケーブルを含むケーブル接続図の作図のための各データに対して、端子台図形とケーブル図形の関係を座標データにより表すための拡張データを付加することによって、端子台図形とケーブル図形を関係付ける技術が提案されている。
【０００５】
【発明が解決しようとする課題】
しかしながら、上記の技術はケーブル接続図を描画する場合は有効であるが、入力したデータを用いて、使用ケーブルの選定やケーブルの手配、機器不具合時の調査などを実施するには不十分であり、さらに体系的な機能やデータの構築が必要となる。
【０００６】
本発明はかかる従来の事情に対処してなされたものであり、ケーブル接続図の作成のために効率的なデータの入力を可能にすると共に、入力したデータに基づいて使用ケーブルの選定やケーブルの手配、機器不具合時の調査など、設計、生産、試験、調査等に役立たせるためのケーブル接続図作成装置、ケーブル接続図作成方法、および、プログラムを提供することを目的とする。
【０００７】
【課題を解決するための手段】
上記目的を達成するため、請求項１の発明に係わるケーブル接続図作成装置は、描画位置を含む描画情報を保存する手段と、ケーブル接続図作成のためのデータを段階的に入力するデータ入力手段と、入力されたデータと描画情報に基づいて図面情報を作成して表示する出力手段と、表示された図面の編集を可能とすると共に編集後の図面から新たな描画情報を抽出して当該描画情報を保存するする図面編集手段とを備えたことを特徴とする。
【０００８】
請求項１記載の発明では、ケーブル接続図作成のためのデータを段階的に入力して、効率的に図面を作成する。
【０００９】
請求項２の発明に係わるケーブル接続図作成装置は、端子台を有する複数の盤の間に布設されるケーブルの接続図を作成する装置であって、入力手段は、盤データ、端子台データ、端子データ、各端子間の接続データの順に、逐次前段階で入力したデータを表示させて、次のデータの入力を実行することを特徴とする。
【００１０】
請求項２記載の発明では、発電所や変電所の盤間に布設されるケーブル接続図を作成する際に、盤データ、端子台データ、端子データ、各端子間の接続データの順に入力する。
【００１１】
請求項３の発明に係わるケーブル接続図作成装置は、さらに、各端子に関連付けて、接続先の盤、端子台、端子の各識別情報を含む接続情報、および、端子の使用回路情報を含む端子データファイルを備え、出力手段は、この端子データファイルの接続情報をもとに図面情報を作成することを特徴とする。
【００１２】
請求項３記載の発明では、端子ごとに接続情報を持たせると共に、制御、警報表示等の使用回路情報を持たせる。これにより使用回路ごとにケーブルを割付けていくことが可能となる。
【００１３】
請求項４の発明に係わるケーブル接続図作成装置では、さらに、端子データファイルは、ケーブルの接続確認フラグを有し、出力手段によって画面上に表示された図面情報に対して指示入力された表示画面上の位置から図面上のケーブルを指示することにより、当該ケーブルに関連する端子データファイルの接続確認フラグを設定し、接続確認フラグの設定されたケーブルを識別表示する接続確認表示手段を備えたことを特徴とする。
【００１４】
請求項４記載の発明では、画面上に表示された図面から接続情報を入力し、またこの接続情報は、接続先の他の図面にも反映されるため、現地での接続確認作業を効率的に行うことができ、かつ、図面に接続情報を反映させる際のミスを減らすことができる。
【００１５】
請求項５の発明に係わるケーブル接続図作成装置は、さらに、事故情報を保存する事故情報ファイルを有し、端子データファイルは、事故情報ファイルに保存されている各事故情報と接続確認フラグとを関連付けて記憶し、接続確認表示手段は、事故情報ごとに当該事故情報に関連する接続確認フラグの設定されたケーブルを識別表示することを特徴とする。
【００１６】
請求項５記載の発明では、接続確認済みのフラグ（以下、接続確認フラグ）と事故情報（不具合情報ともいう）とを関連付けて記憶するので、事故のあった端子およびその端子をつなぐケーブルを特定することができる。
【００１７】
請求項６の発明に係わるケーブル接続図作成装置では、さらに、端子データファイルは、ケーブルの除去フラグを有し、出力手段によって画面上に表示された図面情報に対して指示入力された表示画面上の位置から図面上のケーブルを指示することにより、当該ケーブルに関連する端子データファイルの除去フラグを設定し、除去フラグの設定されたケーブルを識別表示する除去ケーブル表示手段を備えたことを特徴とする。
【００１８】
請求項６記載の発明では、端子データファイルに除去フラグを設けて、識別表示するようにしたので、ケーブル除去時の作業を効率的に行うことが可能となる。
【００１９】
請求項７の発明に係わるケーブル接続図作成装置は、さらに、ケーブル情報の更新要求を入力したときに、除去フラグの設定されたケーブルの接続情報をリセットする手段を備えたことを特徴とする。
【００２０】
請求項７記載の発明では、ケーブル情報の更新要求を入力したときに、除去フラグの設定されたケーブルの接続情報をリセットするようにしたので、ケーブル除去時は、布設時の状態を表示しつつ除去済みかどうかの識別表示が可能となり、除去すべきケーブルを全て除去したかどうかを確認した後に、接続情報をリセット（初期化）することができるので、ケーブル除去時の作業ミスを減らすことができる。
【００２１】
請求項８の発明に係わるケーブル接続図作成装置は、さらに、端子情報と使用ケーブル情報とを関連付けて記憶し、使用ケーブルの量をケーブル種別ごとに出力する手段を備えたことを特徴とする請求項１ないし７のいずれか一に記載のケーブル接続図作成装置。
【００２２】
請求項８記載の発明では、端子情報と使用ケーブル情報（ケーブル種別を含む）とを関連付けて記憶するので、使用ケーブルの数量をケーブル種別ごとに出力することが可能となる。これにより、ケーブルの手配の効率化を図ることができる。
【００２３】
請求項９の発明に係わるケーブル接続図作成装置は、さらに、端子情報と使用回路情報とを関連付けて記憶し、ケーブル種別を設定するケーブル設定画面において、この使用回路情報を表示すると共に端子情報ごとにケーブル情報を設定するケーブル情報設定手段を備えたことを特徴とする。
【００２４】
請求項９記載の発明では、ケーブル設定画面で、使用回路情報を表示して、端子情報ごとにケーブル情報を設定するので、端子にケーブルを割付ける際のミスを削減することができる。
【００２５】
請求項１０の発明に係わるケーブル接続図作成装置は、さらに、使用回路の組合せまたは使用ケーブルの禁止情報を記憶した使用回路禁止ファイルと、当該ファイルを参照してケーブル情報設定手段で設定した情報が禁止情報に該当するか否かを判定するチェック手段とを備えたことを特徴とする。
【００２６】
請求項１０記載の発明では、使用回路禁止ファイルを設けて、使用回路の組合せや使用してはいけないケーブルをチェック可能にする。
【００２７】
請求項１１の発明に係わるケーブル接続図作成装置は、さらに、禁止情報と不具合情報とを関連付けて記憶する手段を備え、チェック手段は、禁止情報に該当する場合は不具合情報と共に判定結果を出力することを特徴とする。
【００２８】
請求項１１記載の発明では、さらに不具合情報を関連付けて記憶しておき、禁止情報を不具合情報と共に出力する。
【００２９】
請求項１２の発明に係わるケーブル接続図作成装置では、さらに、ケーブル接続図作成装置は、クライアントサーバ型の装置であって、データ入力手段は、携帯端末から送られてくる位置情報を入力して、当該位置情報をもとにケーブル布設ルートをパターン化して記憶する手段を備えたことを特徴とする。
【００３０】
請求項１２記載の発明では、携帯端末の位置情報から、ケーブル布設ルートをパターン化して記憶するので、パターンごとにケーブルの長さが特定でき、ケーブルごとに長さ情報を持つことに比べて、データの修正を簡単に行うことができ、ケーブル保守も容易になる。
【００３１】
請求項１３の発明に係わるケーブル接続図作成方法は、変電所データを入力して保存するステップと、変電所データを表示させると共に盤データを入力し、変電所データと関連付けて保存するステップと、変電所データおよび盤データを表示させると共に端子台データを入力し、盤データと関連付けて保存するステップと、変電所データ、盤データ、および、端子台データを表示させると共に端子データを入力し、端子台データと関連付けて保存するステップと、保存されている端子データ間の接続情報を記憶するステップと、この接続情報をもとにケーブル布設状況を演算して表示するステップとを含むことを特徴とする。
【００３２】
請求項１５の発明に係わるプログラムは、ケーブル接続図を作成するためのプログラムであって、変電所データを入力して保存する処理と、変電所データを表示させると共に盤データを入力し、変電所データと関連付けて保存する処理と、変電所データおよび盤データを表示させると共に端子台データを入力し、盤データと関連付けて保存する処理と、変電所データ、盤データ、および、端子台データを表示させると共に端子データを入力し、端子台データと関連付けて保存する処理と、保存されている各データを用いて、ケーブル布設状況を演算して表示する処理とを備えたことを特徴とする。
【００３３】
請求項１３および１５記載の発明では、変電所データ、盤データ、端子台データ、端子データを順に入力すると共に端子データの接続情報を入力し、この接続情報をもとにケーブル布設状況を出力する。
【００３４】
請求項１４の発明に係わるケーブル接続図作成方法は、さらに、端子情報と使用回路情報とを関連付けて記憶するステップと、使用回路の組合せまたは使用ケーブルの禁止情報を記憶ステップと、ケーブル種別を設定するケーブル設定画面において、使用回路情報を表示すると共に端子情報ごとにケーブル情報を設定するステップと、設定したケーブル情報が禁止情報に該当するか否かを判定するステップとを含むことを特徴とする。
【００３５】
請求項１４記載の発明では、使用回路の組合せの禁止情報または使用ケーブルの禁止情報を記憶しておき、端子に対してケーブル種別を設定する際に、禁止情報に該当するかどうかを判定する。これによって、過去に事故や不具合のあった使用回路の組合せやケーブル種別の設定を回避することができる。
【００３６】
【発明の実施の形態】
以下に本発明の第１の実施の形態を説明する。図１は、第１の実施の形態に係わるケーブル接続図作成装置１の機能ブロック図である。この図において、ケーブル接続図作成装置１は、ケーブル接続図（以下、図面という）を作成するためのデータを入力する入力部１１、図面やデータを表示または出力する出力部１２、図面の作成処理などを実行する中央演算処理部１３、図面作成に必要なデータを保存する記憶部１４を備えている。入力部１１は、キーボードやマウスなどで構成され、出力部１２は、ディスプレイなどの表示装置やプリンタなどの印字装置で構成されている。なお、必要によりフレキシブルディスクやコンパクトディスクなどの補助装置を備えるようにしてもよい。
【００３７】
また、中央演算処理部１３は、環境設定情報や変電所、盤名称など図面を作成するための基本情報を入力する基本情報設定手段（機能）３１、図面作成に必要なデータを入力するデータ入力手段（機能）３２、図面の編集処理を実行する図面編集手段（機能）３３、ケーブル数量の表示など設計、生産等の支援を行う支援手段（機能）３４、出力部へデータや図面情報の出力を行う出力手段（機能）３５、図面の作成に共通のマスタファイルの設定や更新を行うマスタファイル保守手段（機能）３６、および、入力部１１や出力部１２とのデータの受け渡しを行う入出力手段（機能）３７を備えている。
【００３８】
記憶部１４は、図面作成の共通情報を保存するマスタファイルデータベース（ＤＢ）４１と図面ごとに固有の情報を保存するイベントファイルデータベース（ＤＢ）４２を有している。
【００３９】
マスタファイルＤＢ４１は、ケーブルの線種や心線数を定義するケーブル線種マスタファイル５１、ケーブル心線の線色を定義する線色マスタファイル５２、端子記号の使用回路を定義する使用回路マスタファイル５３を備えている。さらに、イベントファイルＤＢ４２は、変電所固有の情報を格納する変電所データファイル６１、盤に関する情報を格納する盤データファイル６２、端子台に関する情報を格納する端子台データファイル６３、端子台の各端子に関する情報や接続先情報を格納する端子データファイル６４、ケーブルに関する情報を格納するケーブルデータファイル６５、盤間の距離を格納する盤間データファイル６６を備えている。
【００４０】
次に、図１を用いて図面作成処理の流れについて説明する。この図において、まず、準備段階として、入力部からの図面作成開始要求により、基本情報設定手段３１が起動され、図面作業画面の表示やメモリの初期化などの初期処理が行われる（Ｓ１０１）。また、マスタファイル保存手段３６によって、図面作成に必要な共通データが記憶部１５のマスタファイルＤＢ４１に保存される（Ｓ１０２）。
【００４１】
以下にマスタファイルＤＢ４１に保存される主なマスタファイルについて説明する。
図３は、ケーブル線種マスタファイル５１のデータ構成例である。ケーブル線種と心線数が格納されている。
図４は、線色マスタファイル５２のデータ構成例である。線色の略称、名称およびソート用のＩＤが格納されている。
図５は、使用回路マスタファイル５３のデータ構成例である。使用回路ＩＤと使用回路名が格納されている。
【００４２】
次に、データ入力・更新段階において、データ入力手段３２によって、変電所名が入力される（Ｓ１０３）。このとき、新規の場合は、変電所ファイルが作成され（Ｓ１０４）、既存の変電所の場合は、既に保存されている変電所ファイルが開かれる（Ｓ１０５）。その後、図面の編集に必要な盤定義データ、端子台データ、端子データ、各端子の接続情報、ケーブルデータなどが入力され（Ｓ１０６）、各データ間の整合性をチェックして（Ｓ１０７）により、エラーがある場合は、再入力が促され、エラーがなければ図面編集段階に移行する。
【００４３】
図面編集段階では、図面編集手段３３によって、図番欄の入力や、結線位置の移動など図面の編集処理が行われ（Ｓ１０８）、編集終了後、出力手段３５によって制御ケーブル接続図が印刷され（Ｓ１０９）、図面の描画に必要なデータが記憶部１５のイベントファイルＤＢ６２に保存される（Ｓ１１０）。また、図面情報は、ＣＡＤ形式で記憶部１５に保存される（Ｓ１１１）
【００４４】
支援段階では、支援手段３４によって、手配すべきケーブル数量などの生産、保守に必要な情報が演算され、記憶部１５へ保存されると共に出力手段３５によって印刷される（Ｓ１１２）。なお、支援段階は、図面編集と同時に行なわれる場合もある。また、準備段階でマスタファイルを作成した後は、データ入力更新段階あるいは、図面編集段階から開始することができる。
以下、主な段階の処理を詳述する。
【００４５】
＜データ入力・更新段階＞
データ入力手段３２は、まず変電所の選択を促す画面をディスプレイに表示し、ユーザにより指定された変電所を表示させる。図６は、変電所データの入力画面の一例である。この図で、変電所設定項目として、変電所名、発変電所コード等を入力する。
【００４６】
また、変電所の規模を表す情報として、電圧階級、バンク数、送電線数、配電線数を設定入力する。図面情報として、所属事業所名や工事担当、図面管理部門などの情報も入力する。なお、変電所内の盤や端子台のファイル名をツリー表示すれば、ユーザは作成済みのファイルを体系的に確認することができる。これらの情報は、変電所データファイル６１に保存される。
【００４７】
図７は、変電所データファイルのデータ構成例である。変電所名に加え、電圧、バンク、送電線等の情報、発変電所コードなどが格納されている。また、図面担当者、図面承認者のほか、工事担当者や工事承認者の情報も格納可能になっている。
【００４８】
次に、盤定義データの入力画面より、盤データを入力する。データ入力手段３２で、先の処理で作成した変電所データを選択することにより、その変電所の盤データを入力する画面が表示される。図８は、盤定義データ入力画面の一例である。この図では、変電所名情報と変電所データ入力画面で入力された変電所規模情報が表示され、ユーザはそれを見て入力画面の選択ミスが無いことを確認して盤記号と盤名称を入力していく。このデータは、盤データファイルに保存される。
【００４９】
図９は、盤データファイル６２のデータ構成例である。盤ＩＤ、盤記号、盤名称などの盤識別情報のほか、線色やソート用ＩＤが格納されている。
【００５０】
次に、端子台データの入力画面より、端子台データを入力する。先の手順で入力した盤データを選択して、入力対象の盤の端子台データ入力画面を表示させ、その盤の端子台記号と端子数情報を入力する。図１０に端子台データ入力画面の一例を示す。この画面では、変電署名、盤名称が表示され、ユーザはそれを確認して、端子台データを入力する。このデータは、端子台データファイルに保存される。
【００５１】
図１１は、端子台データファイル６３のデータ構成例である。盤データファイル６２と関連付けるための盤ＩＤ、端子台ＩＤ、端子台記号、端子数などの端子台に関する情報、端子台のサイズ情報、線色情報などが格納されている。
【００５２】
次に、図１２に示す端子定義画面より、端子データを入力する。先の手順で入力した端子台データを選択すると、その端子台の端子数分のデータ入力画面が表示される。ユーザは、端子および使用回路情報を入力する。また、その端子の用途などの情報を入力する。これらの情報は、端子データファイル６４に保存される。端子データファイル６４には、盤ＩＤ、端子台ＩＤなど図面を作成するための関連情報のほか、使用回路ＩＤなどの属性情報が格納される。図１３に、端子データファイル６４のデータ構成例を示す。盤ＩＤ、端子台ＩＤ、端子ＩＤにより、このファイルと盤データファイル６２および端子台データファイル６３との関連付けを行っている。また、使用回路ＩＤによって使用回路マスタファイル５３との関連付けを行っている。さらに、相手盤、相手端子台情報、引出長さやわたり情報等を２組分格納可能になっている。また、アースの有無や取り付け位置に関する情報も格納されている。
【００５３】
次にユーザは、接続先入力画面より、端子間の接続情報を入力する。図１４に接続先入力画面の一例を示す。この図で、自盤の各端子に対応して、接続先（相手１）の盤記号、端子記号、端子情報を選択する。自盤からさらに他の盤へ接続される場合は、相手２の端子を選択する。
【００５４】
なお、端子の接続先がない場合は、それを示す「空」欄にチェックを入れ、また、その盤でアースに接続する場合は、その「アース」欄にチェックを入れる。これらの情報は、端子データファイル６４の接続情報として保存される。
【００５５】
続いてユーザは、ケーブル選択画面からケーブルアースの設定を行う。図１５は、ケーブル選択画面の一例である。ここで、ケーブル線種に対して、心線数および使用されている線数の確認を行い、同時にアースマークのチェックを行う。これによりアース付のケーブルの手配に繋がる。また、未定義端子リストでは、定義されていない端子が表示され、ケーブルデータ詳細画面では、選択されたケーブルの使用線の端子台記号と端子記号が表示される。また、この画面で使用回路の表示を行い、同じケーブルで使われている使用回路を確認できるようになっている。
【００５６】
なお、ケーブル選択画面で設定されたケーブル情報は、図１６に例示するような構成でケーブルデータファイル６５に保存される。また、盤間の距離情報は、図１７に示すような盤間データファイル６６に保存され、この距離情報をもとにケーブル長が求められる。
【００５７】
＜図面編集段階＞
端子データファイル６４の接続情報に基づいて図１８（ａ）に示すような結線図面が出力される。この出力は、接続情報に対して、予め結線の描画位置データを記憶させておくことによって可能となる。この結線部分にマウスを当て、図１８（ｂ）に示すようにドラッグして、図１８（ｃ）のマウスを離した位置での描画位置データを記憶しなおすことによって、描画位置の変更が可能となる。同様に、端子の表示順序やケーブル記号の表示等に対しても、それらの描画位置情報を予め記憶しておき、マウスによりドラッグして、マウスを離した位置を新たな描画位置情報として記憶しなおすことによって、図面を容易に編集することができる。この他、図面の表示倍率情報や線色情報などを記憶しておけば、これらを変更することにより、図面の表示サイズや線色を変えることが可能となる。
【００５８】
＜支援段階＞
まず、図１９に示すように布設状況表示画面で、自盤と相手盤を選択することによって、両盤間の接続に使用されているケーブルが表示される。さらに、ケーブル記号、線種に対して、制御、警報表示、ＤＣ電源など使用回路の詳細内容が表示されるようになっている。
【００５９】
さらに、図２０に示す接続状況の表示画面では、検索条件として、自盤、端子台、端子の各記号を入力することによって、それに接続されている相手盤、端子台、および、端子の表示が出力される。これにより自盤の各端子の接続先やその端子の使用回路を確認することができる。また、チェック欄にチェック済みの入力をすることによって、端子データファイル６４の接続チェックフラグをセットするようにすれば、接続先の確認漏れを防止することができる。
【００６０】
なお、他の接続図面上で確認したときに、この接続チェックフラグをセットするようにしておき、この接続先表示画面で、接続先の表示をするときに、既に、チェック済みの場合は、その表示をするようにしてもよい。
【００６１】
以上の布設状況表示および接続状況表示によって、ユーザは、ケーブルが適切でない使用回路に使われていないか、あるいは、同一ケーブルで異なる複数の回路の組合せに問題がないかの確認をすることができる。たとえば、ＣＶＶ３．５は、耐圧の問題からＡＣ４００Ｖの使用ができない場合、図２１の如く禁止ファイルの条件として記載しておき、これに該当することによって図２０の相手盤記号欄を色替表示することで、ユーザは不適当なケーブルを使用しているということを容易に認識することができる。なお、使用回路の組合せにエラーがある場合は、図１９の該当するケーブル記号を色換えするようにしてもよい。
【００６２】
また、端子データファイル６４において、端子に関連付けて不具合情報（不具合の内容、件数、発生日時など）を記憶しておき、この不具合情報と使用回路あるいはケーブル種別との相関を演算するようにしてもよい。相関演算の結果、たとえば、使用回路ごとのアースの取り方（両端接地か片端設置か）と不具合の発生率との間に有意差があれば、使用回路によって、不具合の多い接地方法を選択したときは注意表示をするなどの対応も可能となる。
【００６３】
この他、支援機能として、以下のような機能を設けるようにしてもよい。
【００６４】
（ケーブル接続図のチェック機能）
Ａ盤とＢ盤の接続をチェックしたとき、ケーブルをクリックすると、Ａ盤、Ｂ盤それぞれの図面において，端子台の該当箇所を色替え表示する。
【００６５】
これにより、設計者が、シーケンス図（紙）と接続図（システム画面）を付き合わせながらチェックするという従来の接続図のチェック方法に比べて、作業効率の向上と作業ミスの削減を図ることができる。
【００６６】
（除却ケーブルの色分け機能）
端子データファイル６４にケーブルの除去フラグを設けて、ケーブルを除却する際、該当のケーブルをクリックすることによって、この除去フラグをセットするようにする。そして、このフラグがセットされているときは、関係図面の該当箇所（接続線）を色替え表示すれば、除却工事の工事用図面としてそのまま活用可能となり省力化を図ることができる。
【００６７】
（図面管理システムとのリンク機能）
通常、企業では図面を一定期間補完する図面管理システムを所有しているが、この管理システムに登録するために必要な図面形式で自動出力するようにすれば、作業効率が向上する。
【００６８】
本実施形態では、変電所情報、番情報、端子台情報、端子情報、各端子間の接続情報の順にデータを入力するので、図面作成者は、煩雑な盤の端子間の接続情報を効率的に入力することができる。また、端子情報の入力時に、その端子の属性情報として使用回路情報を入力するようにして、ケーブル定義入力時に確認可能とし、さらに、不具合ファイルを参照して不具合の可能性のある所定の使用回路の組合せ等に対しては注意情報を出力することとしたので、図面作成者は不具合を回避することができる。
【００６９】
さらに、不具合発生時などに、不具合のあった端子情報と不具合情報とを関連付けて記憶するので、他のファイルの情報も併せて不具合情報との相関演算することによって、その不具合と相関のある因子（使用回路、ケーブル線種など）を抽出することが可能となる。
【００７０】
また、通常、変電所で事故があった時には、事故点を絞り込みながら一つ一つのケーブルを調査していくが、本実施の形態のケーブル接続図作成装置によれば、そのケーブルがどこの盤にいっているかが即座に分かるため、事故探索業務の効率化を図ることができる。
また、盤間の距離を格納する盤間データファイルを設けたので、高い精度をもって必要ケーブル長を自動算出可能となる。これにより、余長を考慮して購入する必要がなくなり、また、工事後に多量の資材が余ることを防止できる。
【００７１】
なお、本装置は、設計、生産、保守等に使用するのみならず、使用回路の組合せとケーブルの割付けや使用ケーブルの選定ミスを防止するための教育用のツールとして使用することも可能である。
【００７２】
さらに、本実施の形態のケーブル接続図作成装置は、業務効率化、正確性向上、技術者の技術レベルの向上の観点から以下の効果を有する。
【００７３】
（業務効率化の観点からの効果）
シーケンス図をもとに決定された接続回路を盤データとして入力することにより、図面を自動的に作成でき、また、データ複写機能により作成時間を大幅に短縮することができる。
ケーブル接続先の検索が容易にできるので、ケーブルチェックが効率的にできる。
ケーブルの色変更が画面上で簡単に行えるので、改良図面が容易に作成できる。
ケーブル図のチェックが画面上でできるので、省スペースで作業ができる。
距離データを入力することによって、自動的にケーブル長を算出できる。
作成したケーブル図をＴＩＦ形式などのデータとして出力するようにすれば、図面電子化の必要がなくなる。
【００７４】
（正確性向上の観点からの効果）
自端子台のデータを入力することによって相手接続先の図面を同時に作成するようにすれば、記入ミスを減らすことができる。
入力データから回路構成が容易に検索できるので、結線漏れなどが確実にチェックできる。
エラーチェック機能により、ケーブルの接続漏れ等を容易に探索できる。
【００７５】
（技術レベル向上の観点からの効果）
ケーブルの接続先の検索やチェックなどが容易にできるので、シーケンス図との関連性が理解しやすい。
図面作成の手間が省けるので、工事経験に関係なくケーブル図を作成でき、教育用としても使用できる。
機器の契約段階からケーブル図を作成することにより、回路の確認やケーブルの購入などを早めに実施でき、工事を効率的に進めることができる。
【００７６】
次に、第２の実施の形態を説明する。図２２は、本実施の形態によるケーブル接続図作成装置の機能ブロック図である。
【００７７】
図１との違いは、通信ネットワーク４を介して携帯端末２とデータの送受信を行う送受信部とこの送受信部とデータの受け渡しを行う送受信処理手段（機能）を設けたことである。
【００７８】
このケーブル接続図作成装置において、図面の作成や編集は入力部を通して行う。一方、現場の携帯端末２の表示部２２には、図２３に示すようなケーブル接続図を表示しする。ケーブル布設状況の確認作業において、作業員は、確認した接続を入力ペンやマウスでチェックする。このチェックした入力情報は、ケーブル作成装置のデータ入力手段を介して入力され、記憶部１５の端子データファイルの接続チェックフラグがセットされる。
【００７９】
また、現場の不具合情報が携帯端末２を通して入力され、ケーブル接続図作成装置の端子データファイルの不具合情報に登録される。そして、この不具合情報は、第１の実施の形態で説明したように、使用回路やアース方法などと相関が取られ、その演算結果が不具合の解析情報として蓄積される。
【００８０】
本実施の形態によれば、携帯端末を通して、現場の作業員へ図面情報を送り、また、作業員の入力した不具合情報などの作業情報を送るので、設計者と現地作業者（保守員）との連携を強化することができる。
【００８１】
なお、携帯端末にＧＰＳなどの機能を搭載して、携帯端末の位置情報をケーブル接続図作成装置で収集可能にしておき、作業員がこの携帯端末を持ってケーブル布設用のピット（ケーブルを収納する溝）に沿って盤間を移動する。作業員の移動ルートから、移動距離が分かり、盤間の必要ケーブル長が算出可能となる。
【００８２】
具体的には、図２４に示すように移動ルートすなわちケーブル布設ルートごとにパターン番号を設け、ピットの曲がり角ごとにその地点の位置情報を保存した盤間距離ファイル６７を設ける。そして、この位置情報から各区間の距離を計算し、それらを合計して盤間のトータル距離を求める。なお、このときケーブルデータファイル６５では、ケーブルＩＤに関連付けてパターン番号を保存するようにする。
【００８３】
このようにすれば、ケーブル布設ルートの変更に柔軟に対応できケーブル保守も容易になる。さらに、ケーブルごとに距離情報を持たせることができるので、同じ盤間のケーブルルートが複数存在しても対応可能である。
【００８４】
【発明の効果】
以上説明したように、本発明においては、ケーブル接続図の作成のための効率的なデータの入力が可能となる。また、入力したデータをもとに使用ケーブルの選定、ケーブルの手配、機器不具合時の調査などを行うことが可能となり、設計、生産、試験、調査等の作業効率の向上や設計やケーブル手配時のミスの削減を図ることができる。
【図面の簡単な説明】
【図１】本発明の第１の実施の形態によるケーブル接続図作成装置の機能ブロック図
【図２】本発明の第１の実施の形態による図面作成時の作業手順の説明図
【図３】図１のマスタファイルＤＢ４１に保存されているケーブル線種マスタファイル５１のデータ構成例
【図４】図１のマスタファイルＤＢ４１に保存されている線色マスタファイル５２のデータ構成例
【図５】図１のマスタファイルＤＢ４１に保存されている使用回路マスタファイル５３のデータ構成例
【図６】変電所データの入力画面の説明図
【図７】図１のイベントファイルＤＢ４２に保存されている変電所データファイル６１のデータ構成例
【図８】盤定義データ入力画面の説明図
【図９】図１のイベントファイルＤＢ４２に保存されている盤データファイル６２のデータ構成例
【図１０】図１０に端子台データ入力画面の説明図
【図１１】図１のイベントファイルＤＢ４２に保存されている端子台データファイル６３のデータ構成例
【図１２】端子定義画面の説明図
【図１３】図１のイベントファイルＤＢ４２に保存されている端子データファイル６４のデータ構成例
【図１４】接続先入力画面の説明図
【図１５】ケーブル選択画面の説明図
【図１６】図１のイベントファイルＤＢ４２に保存されているケーブルデータファイル６５のデータ構成例
【図１７】図１のイベントファイルＤＢ４２に保存されている盤間データファイル６６のデータ構成例
【図１８】図面の結線位置移動の説明図、図１８（ａ）は移動前の図、図１８（ｂ）は移行中の図、図１８（ｃ）は移動後の図
【図１９】布設状況表示画面の説明図
【図２０】接続状況表示画面の説明図
【図２１】使用回路禁止ファイルのデータ構成例
【図２２】本発明の第２の実施の形態によるケーブル接続図作成装置の機能ブロック図
【図２３】ケーブル接続図の表示画面例
【図２４】本発明の第２の実施の形態による盤間距離ファイルのデータ構成例
【符号の説明】
１…ケーブル接続図作成装置、２…携帯端末、４…通信ネットワーク、１１、２１…入力部、１２…出力部、１３、２４…中央演算処理部、１４…記憶部、１５、２３…送受信部、２２…表示部、３１…基本情報設定手段、３２…データ入力手段、３３…図面編集手段、３４…支援手段、３５…出力手段、３６…マスタファイル保守手段、３７…入出力手段、４１…マスタファイルＤＢ、４２…イベントファイルＤＢ
【図１】
2005080321.tif 000003
【図２】
2005080321.tif 000004
【図３】
2005080321.tif 000005
【図４】
2005080321.tif 000006
【図５】
2005080321.tif 000007
【図６】
2005080321.tif 000008
【図７】
2005080321.tif 000009
【図８】
2005080321.tif 000010
【図９】
2005080321.tif 000011
【図１０】
2005080321.tif 000012
【図１１】
2005080321.tif 000013
【図１２】
2005080321.tif 000014
【図１３】
2005080321.tif 000015
【図１４】
2005080321.tif 000016
【図１５】
2005080321.tif 000017
【図１６】
2005080321.tif 000018
【図１７】
2005080321.tif 000019
【図１８】
2005080321.tif 000020
【図１９】
2005080321.tif 000021
【図２０】
2005080321.tif 000022
【図２１】
2005080321.tif 000023
【図２２】
2005080321.tif 000024
【図２３】
2005080321.tif 000025
【図２４】
2005080321.tif 000026